(57)【要約】【課題】糸を用いた絵画用カンバスにおいて、刺繍の際の針を用いずに、また、粘着面に手などが触れて接着することなく糸をカンバスに貼り付けていくだけで誰でも簡単に絵画が描けるようにする。【解決手段】板状のベース材２の一方面に下絵紙４を貼り付けて絵柄が描かれた絵柄形成面とし、この絵柄形成面上に、透視可能な接着層５、この透視可能な接着層に対して着脱自在となるカバーシート６の順に積層して形成された構成を採用した糸を用いた絵画用カンバス１。【選択図】図１
2009020185.tif 000002
【特許請求の範囲】
【請求項１】
板状のベース材の一方面を絵柄が描かれた絵柄形成面とし、この絵柄形成面上に、透視可能な接着層、この透視可能な接着層に対して着脱自在となるカバーシートの順に積層して形成されたことを特徴とする糸を用いた絵画用カンバス。
【請求項２】
板状のベース材の一方面に、接着層、剥離紙の順に積層して形成したベース部と、カバーシートの一方面に、このカバーシートが着脱自在となる透視可能な接着層、剥離紙を積層して形成したカバー部と、必要に応じて用意された、表面に絵柄が描かれた下絵紙とからなることを特徴とする糸を用いた絵画用カンバス。
【請求項３】
上記透視可能な接着層が、耐溶剤性を有する透明シートの両面を透明接着層で挟んで形成されていることを特徴とする請求項１又は２に記載の糸を用いた絵画用カンバス。
【発明の詳細な説明】
【技術分野】
【０００１】
この発明は、糸を用いた絵画を誰でも簡単に仕上げることができる絵画用カンバスを提供するものである。
【背景技術】
【０００２】
従来、種々ある絵画の制作方法の１つとして糸を使用したものがあり、糸を使用した技法としては、刺繍糸を用いて布に縫い込むいわゆる刺繍というのが一般的に行われているものである。【０００３】
最近は、カンバスに着色された糸を接着して固定ゆくことで所定の図柄を表現していく手法が知られており、貼り付ける糸を複数色用意し、適宜選択してカンバスに貼り付けることで、カンバス上に絵画を表現することができる。【０００４】
これら糸をカンバスに貼り付けるものとして、例えば、絹糸を両面接着テープを用いてカンバスに貼り付けてゆく方法がある（例えば、特許文献１参照）。【０００５】
また、写真等を倣って糸による絵画を得るために、特許文献１のようなカンバスの粘着層の上面に例えば写真を原図として貼り付け、原図に現れた同一色の集合した部分のみカッターで切り取り、そこに現れた接着面に原図の色と類似する糸を貼っていくことで、写真などの原図に忠実に絵画を仕上げる手法もある。【０００６】
また、ベース材の表面に粘着材層を介して剥離紙が貼設され、剥離紙と粘着材層に切り込みが入れられており、剥離紙を切り込みに沿って切り離し、切り込まれた図柄に沿って糸を周囲から順に内側に巻くように接着して所定の図柄を表現することで、誰でも簡単に装飾体を仕上げられるようにしたものが知られている（例えば、特許文献２参照）。【０００７】
上記した特許文献１や特許文献２のやり方は、糸を貼り付ける際は切り込みを外し、露出している粘着層に糸を貼っていくものであるが、下絵上に接着材を設け、次いで接着材の上面に装飾材を貼着することで、初心者でも下絵を目して参考にしながら簡単に手芸ができる方法が提案されており、この装飾材としては糸を用いることもある（例えば、特許文献３参照）。
【特許文献１】特開平８−１８３３００号公報（請求項１、図１）
【特許文献２】特許第２７６０３９０号公報（段落００１８、図１）
【特許文献３】特開昭５３−４０３５６号公報（第１頁特許請求の範囲）
【発明の開示】
【発明が解決しようとする課題】
【０００８】
ところで、従来の布地に刺繍を行う手法の場合は、針を用いるために糸通しの不便さや作業時の安全性に難点があった。【０００９】
一方、刺繍を用いずにカンバスに糸を貼り付ける特許文献１の手法の場合、絹糸の貼り付け作業中に、まだ糸を貼り付けていない粘着面に対して、作業者の手や衣服、又は未だ貼り付ける予定のない糸が触れて接着してしまったりするので、粘着面に注意して作業しなければならないという煩わしさがあった。【００１０】
また、粘着層の上面に写真を貼り付け、写真に現れた同一色の集合した部分のみカッターで切り取り、現れた接着面に写真の色と類似する糸を貼っていく手法は、特許文献２のような既製の切り込みが入れられたものよりも原図の選択肢も多く、写真に合わせて細かな部分毎に糸の貼り付け作業が可能であり、多彩な表現が可能となる等利点があるが、切り込みのための作業に大きな手間がかかることも不便であり、また、カッター刃を使うために危険であった。【００１１】
更に、剥がした接着面に写真の色彩が残っていないので、剥がした原図を一々確認して糸の色を選択しなければならないといった手間があった。【００１２】
また、特許文献２の手法の場合、糸を貼る作業は所定の切り込みに沿って剥がした部分について順次行えばよいので、手が作業部分以外に触れても接着してしまうことは少ないが、各切り込み部分が単一色の糸で埋められてイラスト風の絵画となってしまうなど、切り込みによる細やかな部分の表現に限界があった。【００１３】
また、特許文献３のように、下絵上の接着材に糸などの装飾材を貼り付けるものについては、貼り付け作業が下絵を見ながらできるので作業が容易であるが、まだ糸を貼り付けていない粘着面に対して、作業者の手や衣服、又は未だ貼り付ける予定のない糸が触れて接着してしまったりするので、粘着面に注意して作業しなければならないという煩わしさがあった。【００１４】
更に、特許文献１乃至３のように粘着材を用いるものは、作業中断中における放置された粘着剤への空気中のゴミの付着についても注意しなければならなかった。【００１５】
そこでこの発明の課題は、糸を用いた絵画用カンバスにおいて、刺繍の際の針を用いずに糸をカンバスに貼り付けていくだけで誰でも簡単に絵画が描けるようにできると共に、作業中に粘着面に手などが触れて接着したりゴミが付着することなく作業が行えるようにした絵画用カンバスを提供することを課題とする。
【課題を解決するための手段】
【００１６】
上記のような課題を解決するため、請求項１の発明は、板状のベース材の一方面を絵柄が描かれた絵柄形成面とし、この絵柄形成面上に、透視可能な接着層、この透視可能な接着層に対して着脱自在となるカバーシートの順に積層して形成された構成を採用した糸を使った絵画用カンバスである。【００１７】
ここで、絵柄形成面としては、ベース材の一方面に絵柄が描かれた下絵紙を粘着層を介して貼り付けるか、又は、ベース材の一方面に絵柄を印刷、現像等の手法で描くことなどで形成される。【００１８】
透視可能な接着層としては、透明又は半透明の接着剤を塗布したり、シート状の透明又は半透明な両面接着シートを用いて形成される。【００１９】
カバーシートとしては、透視可能な接着層に対して接着、離脱自在で再接着も可能な合成樹脂シートか、又は紙や布の表面に合成樹脂膜を形成したものが挙げられ、合成樹脂シート、紙、布などのシート材の表面に離型処理を施したものでもよい。【００２０】
また、カバーシートにこのカバーシートを小分けするような各区間の周囲に切断が容易な切断補助線を入れておけば、糸貼り作業を行う区画のみカバーシートを順次取り去って作業を行うことで、糸貼り作業済区画にはカバーシートが存在せず、未作業区画の接着層上にはカバーシートが残るようになる。即ち、作業を再開する際に作業区間のみカバーシートを取り去れば良く、カバーシート全体を大きく捲る必要がなくなる。【００２１】
請求項２の発明は、板状のベース材の一方面に、接着層、剥離紙の順に積層して形成したベース部と、カバーシートの一方面に、このカバーシートが着脱自在となる透視可能な接着層、剥離紙を積層して形成したカバー部と、必要に応じて用意された、表面に絵柄が描かれた下絵紙とからなる構成を採用した糸を使った絵画用カンバスである。【００２２】
ここで、ベース部の剥離紙とカバー部の剥離紙を剥がして現れた両接着層間に、下絵紙を絵柄が描かれた面をカバー部側にして挟むことで絵画用カンバスが形成されるが、下絵紙としては、写真やイラストが描かれた印刷物、写真が現像された印画紙、手書き絵画、コピー済用紙等、適宜なものを選択して用いることができる。【００２３】
請求項３の発明は、上記請求項１又は２に記載の発明において、上記透視可能な接着層が、耐溶剤性を有する透明シートの両面を透明接着層で挟んで形成されている構成を採用した糸を用いた絵画用カンバスである。【００２４】
この構成によると、透視可能な接着層に糸を貼った後に、糸を取り替える修正を行う場合は、通常はこの透視可能な接着層を溶剤等で溶かして接着していた糸を取り外すのであるが、耐溶剤性を有する透明シートが存在することで、溶剤等がその透明シートより下方の透明接着層に達するのを防止し、その下の絵柄層に溶剤が影響を与えること（絵柄を溶かす等）を防ぐ。【００２５】
なお、溶剤により糸と共に接着層を取り去った後の部分には、露出してある透明シートの上にその部分に合わせた大きさの両面接着テープの小片を貼り付けるか、又は新たな接着剤を塗布することにより、その上に修正後の糸を貼り付けるようにする。
【発明の効果】
【００２６】
請求項１の発明の糸を用いた絵画用カンバスによれば、糸を貼り付ける作業に当たり、刺繍のような刺繍針を用いず、原画に倣った切り込みを行うためのカッター刃を用いることもなく、安全に糸貼りに専念しての作業が可能である。【００２７】
また、下絵を目視して色を確認しながら下絵に倣って糸の貼り付けを行うことができるので、写真を剥がしていく技法のように剥がした原図の色を一々確認する必要がない。【００２８】
また、糸貼り作業を行う部分のみカバーシートを接着層から剥がしてゆくようにすれば、未制作部分の接着層はカバーシートにより保護されたままになり、作業者の手や衣服などが接着して作業が煩わしくなるといったことがない。【００２９】
更に、制作途中には接着層の粘着面をカバーシートにより再度覆うことで、まだ糸を貼っていない露出した粘着面を保護することができる。【００３０】
次に、請求項２の糸を用いた絵画用カンバスによれば、請求項１と同じ効果が得られると共に、別体となっていた下絵紙として任意のものを選ぶことができるので、個人の嗜好に合わせた絵画、写真等を下絵紙としても用いることができるようになる。【００３１】
次に、請求項３の糸を用いた絵画用カンバスによれば、糸を貼り付けた後の修正をする場合にも、透視可能な接着層全面に設けられている耐溶剤性を有する透明シートの存在により、糸を外すために接着層を溶かす溶剤が下絵にまで達することがなく、下絵を毀損することがない。【００３２】
また、溶剤により表面側の接着層を取り去った後は、中間層の透明シートが露出しており、ここにその透明シートが露出した大きさに合わせた透視可能な両面接着テープを貼り付けるか、若しくは新たな接着剤を塗布することにより、再度その両面接着テープや新たな接着層の上に糸を貼り付けて補修することができる。
【発明を実施するための最良の形態】
【００３３】
図１は、この発明の絵画用カンバス１の断面図であり、板状のベース材２の上に、接着層３、下絵紙４、透視可能な接着層５、カバーシート６の順に積層された状態となっている。【００３４】
ベース材２は、板状体で、その材料は特に限定されるものではなく、発泡ポリスチレン、厚紙、布、木、金属、プラスチック等やこれらの組み合わせが挙げられ、その厚みは特に限定されず、また若干の曲がりを許容して復元する程度の柔軟性があってもよい。【００３５】
接着層３は、このベース材２のほぼ全面を覆うように設けられ、接着剤を塗布して形成しても、シート状の両面接着シートを貼り付けることにより構成したものでもよい。【００３６】
下絵紙４は、接着層３によりベース材２に貼り付けられており、透視可能な接着層５側が重ねられる表面側が、下絵となる絵画、写真、イラスト、又はデザイン画などの模様からなる絵柄８がカラーで現された絵柄形成面となり、この表現方法は印刷によるのが一般的であるが、写真印画紙に現像により写真が現されたものや、その他周知技術により模様が描かれたものであってもよい。【００３７】
なお、この実施形態では、下絵が描かれた下絵紙４をベース材２に接着層３を介して接着固定することでベース材２の上面側に絵柄形成面を形成したが、ベース材２の材質によっては、ベース材２の上面に直接下絵を印刷等により描いて絵柄形成面を形成するようにしてもよい。【００３８】
接着層５は、接着層３と同様に両面に接着効果を有するものであるが、下絵紙４の表面に現された模様を反対側から視認できるように、全体が透明或いは半透明のもので透視可能なものであり、例えば、透明・半透明な接着剤を塗布して形成したり、透明な両面接着シートを貼り付けることにより構成したものが用いられる。【００３９】
カバーシート６は、可撓性を有する材質からなり、透視可能な接着層５に対して接着し、比較的小さな力でこの接着層５から剥がすことができ、また、接着層５に何度でも再接着させることが可能で、例えば各種合成樹脂製フィルム、又は紙や布の表面に合成樹脂膜を形成したものが挙げられ、素材自体が接着層５に対して着脱自在であるものを用いる他、表面に離型処理を施して接着層に対して着脱自在としてもよい。【００４０】
このカバーシート６の色は特に限定されないが、透明であれば糸を貼り付ける作業途中の仕上がり具合がカバーシート６を剥がすことなく確認することができる。【００４１】
なお、図示のように、カバーシート６をベース材２より若干大きくし、ベース材２の周囲より外側に少しだけ突出する部分を設けておけば、この部分を摘んでカバーシート６を捲りやすくなる。【００４２】
図２乃至図４は、この発明のカンバス１を用いた絵画の制作状況を示すもので、まず、カバーシート６を、そのベース材２から突出した部分を摘んで捲り返すようにして接着層５から剥がし、この接着層５の表面に、透視された下絵紙４に描かれた絵柄８に倣って選んだ糸７を貼り付けてゆく（図２、図４）。【００４３】
糸７としては、着色された糸であれば特に限定されないが、絵画として使用する際のその表面光沢の美しさから絹糸を用いるのが好ましく、また、透視可能な接着層５を通じて視認される下絵紙４の絵柄８の色彩に応じた色彩の糸７を貼り付けて絵画的表現を求めるので、例えば１２〜２４色程度を色彩の糸を用意しておくことが好ましい。【００４４】
この作業時、端から糸７を貼る作業を行う部分に合わせて順次カバーシート６を剥がしてゆくようにすれば、未制作部分の接着層５はカバーシート６により保護されたままになり、作業者の手や衣服などに接着して作業が煩わしくなるといったことがない。【００４５】
また、糸貼り作業を中断する際は、再度カバーシート６を接着層５に貼り戻すことにより、接着層５の接着面を常に保護状態に維持することができる（図３）。【００４６】
図５は、この発明の他の実施形態の絵画用カンバス１１を示す断面図であり、板状のベース材１２の図示上面に、接着層１３、剥離紙１７の順に積層したベース部１８を形成する。【００４７】
このベース部１８に用いられるベース材１２及び接着層１３は、先の実施形態のベース材２及び接着層３と同様であり、その機能、作用は説明を省略する。【００４８】
また、カバーシート１６の図示下面に、透視可能な接着層１５と剥離紙１９を順に積層したカバー部２０を形成する。【００４９】
このカバー部２０に用いられるカバーシート１６及び接着層１５は、先の実施形態のカバーシート６及び接着層５と同様であり、その機能、作用は説明を省略する。【００５０】
また、これらベース部１８とカバー部２０とは別に下絵紙１４が必要に応じて用意され、この下絵紙１４も、先の実施形態の下絵紙４と同様であり、その機能、作用は説明を省略する。【００５１】
これらベース部１８、カバー部２０、及び下絵紙１４を用いて絵画用カンバス１１を完成する方法を説明すれば、まずベース部１８の剥離紙１７を剥がして接着層１３を露出させ、この接着層１３に下絵紙１４の絵柄８が形成された面の反対側を接着する。【００５２】
次に、カバー部２０の剥離紙１９を剥がして接着層１５を露出させ、この接着層１５の接着面を下絵紙１４の絵柄８が形成された面に重ねて接着する。【００５３】
すると、板状のベース材１２の上に、接着層１３、下絵紙１４、透視可能な接着層１５、カバーシート１６の順に積層された状態の絵画用カンバス１１となり、図１で示したベース材２、接着層３、下絵紙４、透視可能な接着層５、カバーシート６の順に積層された状態の絵画用カンバス１と同様の構成となり、図２乃至図４で示したのと同様の手法により糸７を貼り付けて絵画作成をすることができる。【００５４】
なお、この実施形態の場合、ベース部１８、カバー部２０、及び種類の異なる絵柄の下絵紙１４の複数枚を組み合わせて流通及び販売し、購買者が複数枚の下絵紙１４から適宜気に入った絵柄の下絵紙１４を選択してベース部１８及びカバー部２０に貼り付けることで絵画用カンバス１１を形成することができる。【００５５】
また、下絵紙１４としては、予めベース部１８やカバー部２０とセットして販売されていたものを用いずとも、購買者が別途用意したものを下絵紙１４として用いれば、自由に絵柄を選ぶことができる。【００５６】
下絵紙１４としては、例えば、写真やイラストが描かれた印刷物、写真が現像された印画紙、手書き絵画、コピー済用紙など薄いシート状のものであれば種々のものが該当するが、特に購買者が所有している個人的な写真を、最近普及したインクジェットプリンターにより低コストで印刷した用紙等を用いることで、個人の思い入れのあるものや、嗜好に合った絵画を制作するがことができるようになる。【００５７】
図６は、この発明の他の実施形態の絵画用カンバス２１を示す断面図であり、この実施形態では、カバーシート２２に他の実施形態に無い特徴を有しており、その他の部分は図１乃至図４に示す実施形態における板状のベース材２、接着層３、下絵紙４、接着層５と同様であり説明を省略する。【００５８】
この実施形態のカバーシート２２は、カバーシートを小分けするような各区間の周囲に切断が容易な切断補助線２３が縦横直線状に碁盤の目の如く入っており、またカバーシートの周囲の切断補助線２３の延長線上には、この切断補助線に続いて切り込み２４が入っている。【００５９】
切断補助線２３としては、小さな力で簡単にシートを切断できるように、微小寸法の切れ目を間隔を空けて連続して設ける所謂ミシン目状にするか、切断補助線２３の部分でカバーシート２２をハーフカットしておくか、又は、ハーフカットにしてハーフカット部分に所定間隔のミシン目状のフルカット部分を形成する等をすればよい。【００６０】
この実施形態の場合、糸貼り作業を行う区画のみカバーシート２２を順次取り去ってから糸貼り作業を行うことで、糸貼り作業済区画にはカバーシート２２が存在せず、カバーシート２２を捲っておく必要が無いと共に、未作業区画の接着層５上にはカバーシートが残っており、この未作業部分に手や糸が接着してしまうことが無くなる。【００６１】
また、一旦作業を中止後してから作業を再開する際には、作業済み部分はカバーシート２２が取り除かれており、この作業済み部分に隣接する作業区間のみカバーシート２２を切断補助線２３を利用して取り去ってから糸貼り作業をすれば良く、他の実施形態のように、カバーシート２２全体を大きく捲って保持しながら作業をする必要がなくなる。【００６２】
なお、この実施形態ではカバーシート２２以外の部分は図１乃至図４に示す実施形態と同様として説明したが、図５に示す実施形態と同様の、ベース材１２、接着層１３、剥離紙１７からなるベース部１８と、このカバーシート２２の下面に、透視可能な接着層１５と剥離紙１９を順に積層したカバー部、及び、必要に応じて用意される下絵紙１４の組み合わせとしてもよい。【００６３】
図７は、この発明の更に他の実施形態に係る絵画用カンバス３１の表側部分を示す一部拡大断面図であり、この実施形態では、透視可能な接着層３２に他の実施形態に無い特徴を有しており、その他の部分は図１乃至図４に示す実施形態における板状のベース材２（図示せず）、下絵紙４、カバーシート６等と同様であり同一の符号を付して説明を省略する。【００６４】
この実施形態の場合、透視可能な接着層３２は、図１乃至図７で示した他の実施形態の透視可能な接着層５，１５と同様に両面に接着効果を有するものであるが、この透視可能な接着層３２の構成は、耐溶剤性を有する透明シート３３を中間層としてその両面に下層の透明接着層３４と上層の透明接着層３５とを塗布する等の手段により設けて形成されている。【００６５】
中間層の透明シート３３の耐溶剤性としては、例えば、接着剤を溶かして除去する目的で文房具類として市販されている一般的な溶剤に対して耐性がある合成樹脂のうち透明なものであればよく、特定の材料に限定されるものではない。【００６６】
透明シート３３の上下の透明接着層３４と３５としては、溶剤にて除去可能であり透明なものであれば他の実施形態で用いられた透視可能な接着層５や１５と同じものを用いてもよく、特に上層の透明接着層３５は、カバーシート６に対する接着及び離反が自在となるものであればよい。【００６７】
上記構成によれば、例えば、間違えて意図しない糸を貼り付けてしまった後に本来の糸に修正しようとする場合や、作業途中や完成後にて別の糸に貼り代えたり、糸を貼る方向を変えたりして絵画表現を変更しようとする場合に、既に透視可能な接着層３２に貼り付けた糸を除去するために、市販の溶剤等を用いて透視可能な接着層３２を溶かして除去するが、この修正作業の際、溶剤は上層の透明接着層３５を溶かすが、耐溶剤性のある透明シート３３の存在により下層の透明接着層３４には達せず、そのため溶剤が下絵紙４に達して絵柄８を溶かしたりしてしまうのを防止することができる。【００６８】
上記の実施形態の絵画用カンバス３１を用いて、一旦貼り付けた糸を取り替える修正作業を図８に基づいて説明する。【００６９】
まず、糸貼り作業中、又はカンバスの完成後において、透視可能な接着層３２の上の所定の部分に、誤って別の色の糸７を貼り付けていたり、又は一旦糸７を貼り付けた糸７を取り替えて表現方法を変えてみたいと欲する時があり、そのような糸を替えようとする部分を、図中作業部位Ｘとする（図８（Ａ）参照）。【００７０】
まず、糸７を取り去ろうとする作業部位Ｘに、市販の溶剤３６を塗布や流し込みにより供給し、作業部位Ｘでの透視可能な接着層３２の透明接着層３５を溶剤３６で溶かして除去することで接着力を取り去り、最初に貼り付けていた糸７をカンバス上面から取り去る（図８（Ｂ）参照）。【００７１】
この溶剤３６により透明接着層３５は取り去られるが、中間層となる透明シート３３の耐溶剤性により、溶剤３６は透明シート３３より下層の透明接着層３４には影響せず、従って、透視可能な接着層３２は上層の透明接着層３５のみが溶けて取り去られるが、透明シート３３より下の下層の透明接着層３４や下絵４には溶剤３６は到達せず、下絵紙４の絵柄８が溶けてしまったり、更にその下のボード等に溶剤３６が影響を与えたりしない。【００７２】
糸７を取り去った後の作業部位Ｘでは、上層の透明接着層３５も取り去られて透明シート３３が露出しており、そのままでは修正や取替用の糸７を貼り付けることができないので、透明シート３３が露出した部分の大きさに合わせて切り取った透視可能な両面接着テープ３７を貼り付ける（図８（Ｃ）参照）。【００７３】
この両面接着テープ３７は透明であれば市販の両面接着テープを小さく切り取ったものでよく、また、両面接着テープ３７に代えて別の流動性のある接着剤を塗布するようにしてもよい。【００７４】
両面接着テープ３７が透明シート３３上へ貼着された作業部位Ｘに、新たな糸７を貼り付けてゆくことで、絵画用カンバス３１の糸替えによる修正作業が完了する（図８（Ｄ）参照）。
【図面の簡単な説明】
【００７５】
【図１】この発明の絵画用カンバスの一実施形態を示す断面図である。
【図２】この発明の絵画用カンバスを用いた絵画の制作過程を示す一部拡大断面図である。
【図３】この発明の絵画用カンバスを用いた絵画の制作過程を示す一部拡大断面図である。
【図４】この発明の絵画用カンバスを用いた絵画の制作過程を示す斜視図である。
【図５】この発明の絵画用カンバスの他の実施形態を示す断面図である。
【図６】この発明の絵画用カンバスの他の実施形態を示す斜視図である。
【図７】この発明の絵画用カンバスの更に他の実施形態を示す一部拡大断面図である。
【図８】（Ａ）（Ｂ）（Ｃ）（Ｄ）は図７の絵画用カンバスを用いた絵画作成後、又は作成途中の修正の様子を示す一部拡大断面図である。
【符号の説明】
【００７６】
１  絵画用カンバス
２  ベース材
３  接着層
４  下絵紙
５  接着層
６  カバーシート
７  糸
８  絵柄
１１  絵画用カンバス
１２  ベース材
１３  接着層
１４  下絵紙
１５  接着層
１６  カバーシート
１７  剥離紙
１８  ベース部
１９  剥離紙
２０  カバー部
２１  絵画用カンバス
２２  カバーシート
２３  切断補助線
２４  切り込み
３１  絵画用カンバス
３２  透視可能な接着層
３３  透明シート
３４，３５  透明接着層
３６  溶剤
３７  両面接着テープ
Ｘ    作業部位
【図１】
2009020185.tif 000003
【図２】
2009020185.tif 000004
【図３】
2009020185.tif 000005
【図４】
2009020185.tif 000006
【図５】
2009020185.tif 000007
【図６】
2009020185.tif 000008
【図７】
2009020185.tif 000009
【図８】
2009020185.tif 000010
【国際調査報告】
2009020185.tif 000011
2009020185.tif 000012